(57)【特許請求の範囲】
【請求項１】
ユーザによる携帯端末に対する把持情報を検出することと、
前記把持情報に基づいてユーザによる前記携帯端末に対する把持の有効領域を決定することと、
前記有効領域に基づいてユーザが左手又は右手で前記携帯端末を操作する結果情報を判断することと、
前記結果情報に基づいて前記携帯端末のインターフェースを調整することとを含み、
前記把持情報に基づいてユーザによる前記携帯端末に対する把持の有効領域を決定することは、
前記把持情報の具体的なものである電気信号を２値化信号に量子化することと、
前記２値化信号に基づいてユーザによる前記携帯端末に対する把持の有効領域を決定することとを含み、
前記２値化信号に基づいてユーザによる前記携帯端末に対するタッチの有効領域を決定することは、
前記２値化信号をフィルタリングすることと、
フィルタリングされた後の２値化信号を処理し、ユーザによる前記携帯端末のケースの２つの側面に対するタッチの有効領域を得ることとを含み、
前記フィルタリングされた後の２値化信号を処理することは、
前記２値化信号を２値画像に変換し、連続的な有効点からなる２値画像領域を識別待つ領域としてマークし、前記有効点が前記２値画像における黒画素点であることと、
前記識別待つ領域の垂直中間線を第１の基準線とし、前記第１の基準線の垂直方向における連続的な有効点の数が第１の所定閾値を超える場合、前記垂直方向における連続的な有効点の所在線分の水平中間線を第２の基準線とし、前記第２の基準線の水平方向における連続的な有効点の数が第２の所定閾値を超える場合、前記識別待つ領域をユーザによる前記携帯端末のケースの２つの側面に対するタッチの有効領域とすることとを含む携帯端末インターフェースの調整方法。
【請求項２】
前記ユーザによる携帯端末に対するタッチ情報を検出することは、
センサによってユーザによる前記携帯端末に対するタッチ誘導情報を受信し、前記タッチ誘導情報を前記把持情報に変換することを含む請求項１に記載の携帯端末インターフェースの調整方法。
【請求項３】
前記有効領域に基づいてユーザが左手又は右手で前記携帯端末を操作する結果情報を判断することは、
前記有効領域の長さ値を計算し、長さ値が最大である有効領域を得ることと、
前記長さ値が最大である有効領域の前記携帯端末のケースでの位置に基づいて、ユーザが左手又は右手で前記携帯端末を操作する結果情報を得ることとを含む請求項１に記載の携帯端末インターフェースの調整方法。
【請求項４】
前記結果情報に基づいて前記携帯端末インターフェースを調整することは、
前記結果情報はユーザが左手で携帯端末を操作することを示す場合、前記携帯端末のインターフェースを左手操作に適応するレイアウトに調整することと、
前記結果情報はユーザが右手で携帯端末を操作することを示す場合、前記携帯端末のインターフェースを右手操作に適応するレイアウトに調整することとを含む請求項３に記載の携帯端末インターフェースの調整方法。
【請求項５】
ユーザによる携帯端末に対する把持情報を検出するように設定される検出モジュールと、
前記把持情報に基づいてユーザによる前記携帯端末に対する把持の有効領域を決定するように設定される処理モジュールと、
前記有効領域に基づいてユーザが左手又は右手で前記携帯端末を操作する結果情報を判断するように設定される判断モジュールと、
前記結果情報に基づいて前記携帯端末のインターフェースを調整するように設定されるインターフェース調整モジュールとを含み、
前記処理モジュールは、
把持情報を２値化信号に量子化するように設定される信号量子化ユニットと、
前記２値化信号をフィルタリングするように設定されるフィルタリングユニットと、
フィルタリングされた後の２値化信号を処理し、ユーザによる前記携帯端末に対する把持の有効領域を決定するように設定される信号処理ユニットとを含み、
前記フィルタリングされた後の２値化信号を処理することは、
前記２値化信号を２値画像に変換し、連続的な有効点からなる２値画像領域を識別待つ領域としてマークし、前記有効点が前記２値画像における黒画素点であることと、
前記識別待つ領域の垂直中間線を第１の基準線とし、前記第１の基準線の垂直方向における連続的な有効点の数が第１の所定閾値を超える場合、前記垂直方向における連続的な有効点の所在線分の水平中間線を第２の基準線とし、前記第２の基準線の水平方向における連続的な有効点の数が第２の所定閾値を超える場合、前記識別待つ領域をユーザによる前記携帯端末のケースの２つの側面に対するタッチの有効領域とすることとを含む携帯端末インターフェースの調整装置。
【請求項６】
前記検出モジュールは、センサによってユーザによる前記携帯端末に対するタッチ誘導情報を受信し、前記タッチ誘導情報を前記把持情報に変換するように設定される請求項５に記載の携帯端末インターフェースの調整装置。
【請求項７】
ユーザによる携帯端末に対する把持情報を検出するように設定されるセンサと、
前記把持情報に基づいてユーザによる前記携帯端末に対する把持の有効領域を決定し、前記有効領域に基づいてユーザが左手又は右手で前記携帯端末を操作する結果情報を判断し、前記結果情報に基づいて前記携帯端末のインターフェースを調整するように設定されるプロセッサとを含み、
前記把持情報に基づいてユーザによる前記携帯端末に対する把持の有効領域を決定することは、
前記把持情報の具体的なものである電気信号を２値化信号に量子化することと、
前記２値化信号に基づいてユーザによる前記携帯端末に対する把持の有効領域を決定することとを含み、
前記２値化信号に基づいてユーザによる前記携帯端末に対するタッチの有効領域を決定することは、
前記２値化信号をフィルタリングすることと、
フィルタリングされた後の２値化信号を処理し、ユーザによる前記携帯端末のケースの２つの側面に対するタッチの有効領域を得ることとを含み、
前記フィルタリングされた後の２値化信号を処理することは、
前記２値化信号を２値画像に変換し、連続的な有効点からなる２値画像領域を識別待つ領域としてマークし、前記有効点が前記２値画像における黒画素点であることと、
前記識別待つ領域の垂直中間線を第１の基準線とし、前記第１の基準線の垂直方向における連続的な有効点の数が第１の所定閾値を超える場合、前記垂直方向における連続的な有効点の所在線分の水平中間線を第２の基準線とし、前記第２の基準線の水平方向における連続的な有効点の数が第２の所定閾値を超える場合、前記識別待つ領域をユーザによる前記携帯端末のケースの２つの側面に対するタッチの有効領域とすることとを含む携帯端末。
【発明の詳細な説明】
【技術分野】
【０００１】
本発明は、携帯端末の技術分野に関し、特に携帯端末インターフェースの調整方法、装置及び端末に関する。
【背景技術】
【０００２】
アップルの携帯電話（ｉｐｈｏｎｅ）はマルチタッチ、重力誘導等の新操作方式を切り開いており、これらの革新はユーザエクスペリエンスを大幅に向上させ、ｉｐｈｏｎｅの成功に強固な基礎を築き、これらの技術は他の携帯電話メーカーが先を争って模倣の対象になった。ユーザエクスペリエンスは携帯電話製品がユーザに歓迎されるか否かの最も重要且つ基本的な要因の１つであり、どのようにユーザの観点から携帯電話を設計するかは携帯電話の設計時に考慮されるべきである問題となっている。
【０００３】
統計データによると、世界中に約１０％の人は左利きであり、米国の歴代大統領のうち半分以上は左利きであり、非左利きの人たちについても、生活中に左手で書いたり、電話をかけたりする習慣があるかもしれない。従って、製品設計を行う時にこの部分の人たちのニーズを配慮する必要があり、従来の技術製品においてこのような例が多く、例えば、ｗｉｎｄｏｗｓシステムのマウスの利用習慣が左手と右手に分けられ、同時にほとんどのマウス製品は左右手汎用の対称設計であり、いくつかの製品は個別に左利きの人たちのために設計されるものである。日常生活中の携帯電話、特にタッチパネル式携帯電話の使用に対して、最も一般的な操作は親指操作であり、親指の動きが一定の範囲にあり、操作しにくい場合が多く、ユーザの操作エクスペリエンスに大きい影響を与え、このような携帯電話製品は左利きの人たちに対して、操作エクスペリエンスが更に悪くなる。
【０００４】
従来の携帯電話製品には以下の設計が多く、例えば、ダイヤルインターフェース削除キーが右側にあり、メッセージ送信キーが右側にあり、現在では、大画面の携帯電話が流行しており、左利きの人はより右側の画面にタッチし操作しにくい。
【０００５】
従来技術に存在している問題は、ユーザが左手で、それとも右手で携帯端末を操作するかを動的に知ることができず、それに対応して、携帯端末のインターフェースを動的に調整して、ユーザの操作ニーズに適応することもできないことである。
【発明の概要】
【発明が解決しようとする課題】
【０００６】
本発明の実施例は携帯端末インターフェースの調整方法、装置及び端末を提供し、ユーザが左手で、それとも右手で操作するかに基づいて携帯端末のインターフェースを調整して、ユーザの操作ニーズに適応するという問題を少なくとも解決する。
【課題を解決するための手段】
【０００７】
本発明は以下の解決手段を採用する。
【０００８】
本発明は、第１の態様において、携帯端末インターフェースの調整方法を提供し、
ユーザによる携帯端末に対する把持情報を検出することと、
前記把持情報に基づいてユーザによる前記携帯端末に対する把持の有効領域を決定することと、
前記有効領域に基づいてユーザが左手又は右手で前記携帯端末を操作する結果情報を判断することと、
前記結果情報に基づいて前記携帯端末インターフェースを調整することとを含む。
【０００９】
好ましくは、前記ユーザによる携帯端末に対するタッチ情報を検出することは、
センサによってユーザによる前記携帯端末に対するタッチ誘導情報を受信し、前記タッチ誘導情報を前記把持情報に変換することを含む。
【００１０】
好ましくは、前記把持情報に基づいてユーザによる前記携帯端末に対する把持の有効領域を決定することは、
前記把持情報の具体的なものである電気信号を２値化信号に量子化することと、
前記２値化信号に基づいてユーザによる前記携帯端末に対する把持の有効領域を決定することとを含む。
【００１１】
好ましくは、前記２値化信号に基づいてユーザによる前記携帯端末に対するタッチの有効領域を決定することは、
前記２値化信号をフィルタリングすることと、
フィルタリングされた後の２値化信号を処理し、ユーザによる前記携帯端末のケースの２つの側面に対するタッチの有効領域を得ることとを含む。
【００１２】
好ましくは、前記フィルタリングされた後の２値化信号を処理することは、
前記２値化信号を２値画像に変換し、連続的な有効点からなる２値画像領域を識別待つ領域としてマークし、前記有効点が前記２値画像における黒画素点であることと、
前記識別待つ領域の垂直中間線を第１の基準線とし、前記第１の基準線の垂直方向における連続的な有効点の数が第１の所定閾値を超える場合、前記垂直方向における連続的な有効点の所在線分の水平中間線を第２の基準線とし、前記第２の基準線の水平方向における連続的な有効点の数が第２の所定閾値を超える場合、前記識別待つ領域をユーザによる前記携帯端末のケースの２つの側面に対するタッチの有効領域とすることとを含む。
【００１３】
好ましくは、前記フィルタリングされた後の２値化信号を処理することは、さらに、
前記２値化信号を２値画像に変換し、連続的な有効点からなる２値画像領域を識別待つ領域としてマークし、前記有効点が前記２値画像における黒画素点であることと、
前記識別待つ領域の面積値を計算し、面積値が第３の所定閾値を超える時に対応する識別待つ領域をユーザによる前記携帯端末のケースの２つの側面に対するタッチの有効領域とすることとを含む。
【００１４】
好ましくは、前記有効領域に基づいてユーザが左手又は右手で前記携帯端末を操作する結果情報を判断することは、
前記有効領域の長さ値を計算し、長さ値が最大である有効領域を得ることと、
前記長さ値が最大である有効領域の前記携帯端末のケースでの位置に基づいて、ユーザが左手又は右手で前記携帯端末を操作する結果情報を得ることとを含む。
【００１５】
好ましくは、前記結果情報に基づいて前記携帯端末インターフェースを調整することは、
前記結果情報はユーザが左手で携帯端末を操作することを示す場合、前記携帯端末のインターフェースを左手操作に適応するレイアウトに調整することと、
前記結果情報はユーザが右手で携帯端末を操作することを示す場合、前記携帯端末のインターフェースを右手操作に適応するレイアウトに調整することとを含む。
【００１６】
本発明は、第２の態様において、携帯端末インターフェースの調整装置を更に提供し、
ユーザによる携帯端末に対する把持情報を検出するように設定される検出モジュールと、
前記把持情報に基づいてユーザによる前記携帯端末に対する把持の有効領域を決定するように設定される処理モジュールと、
前記有効領域に基づいてユーザが左手又は右手で前記携帯端末を操作する結果情報を判断するように設定される判断モジュールと、
前記結果情報に基づいて前記携帯端末インターフェースを調整するように設定されるインターフェース調整モジュールとを含む。
【００１７】
好ましくは、前記検出モジュールは、センサによってユーザによる前記携帯端末に対するタッチ誘導情報を受信し、前記タッチ誘導情報を前記把持情報に変換するように設定される。
【００１８】
好ましくは、前記処理モジュールは、
把持情報を２値化信号に量子化するように設定される信号量子化モジュールと、
前記２値化信号をフィルタリングするように設定されるフィルタリングモジュールと、
フィルタリングされた後の２値化信号を処理し、ユーザによる前記携帯端末のケースの２つの側面に対するタッチの有効領域を得るように設定される信号処理モジュールとを含む。
【００１９】
本発明は、第３の態様において、携帯端末を更に提供し、
ユーザによる携帯端末に対する把持情報を検出するように設定されるセンサと、
前記把持情報に基づいてユーザによる前記携帯端末に対する把持の有効領域を決定し、前記有効領域に基づいてユーザが左手又は右手で前記携帯端末を操作する結果情報を判断し、前記結果情報に基づいて前記携帯端末インターフェースを調整するように設定されるプロセッサとを含む。
【発明の効果】
【００２０】
上記解決手段を採用することによって、本発明は少なくとも以下の利点を有する。
本発明に記載の携帯端末インターフェースの調整方法、装置及び端末によると、ユーザが左手で、それとも右手で携帯端末を操作するかの情報を動的に取得することによって、対応的に携帯端末のインターフェースを動的に調整して、ユーザの操作ニーズに適応し、ユーザエクスペリエンスを向上させる。
【図面の簡単な説明】
【００２１】
【図１】図１は本発明の第１実施例における携帯端末インターフェースの調整方法のフローチャートである。
【図２】図２は本発明の第１実施例における２値化画像の模式図である。
【図３】図３は本発明の第１実施例における２値化信号の模式図である。
【図４】図４は本発明の第１実施例における２値化信号処理のフローチャートである。
【図５】図５は本発明の第２実施例における携帯端末インターフェースの調整装置の模式図である。
【図６】図６は本発明の第２実施例における処理モジュール２０の模式図である。
【図７】図７は本発明の第３実施例における携帯端末の模式図である。
【発明を実施するための形態】
【００２２】
本発明が所定の目的を達成するために用いる技術的手段及びその効果を更に説明するために、以下では、図面及び好ましい実施例を参照しながら、本発明を詳しく説明する。
【００２３】
本発明の第１実施例において、携帯端末インターフェースの調整方法は、図１に示すように、以下の具体的なステップを含む。
【００２４】
ステップＳ１０１、ユーザによる携帯端末に対する把持情報を検出する。
【００２５】
具体的に、センサによってユーザによる携帯端末に対するタッチ誘導情報を受信し、タッチ誘導情報を把持情報に変換する。ここで、把持情報が具体的に電気信号であり、電気信号を２値化信号に量子化する。
【００２６】
さらに、本発明には携帯端末の両側にセンサが取り付けられる。センサの種類は、静電容量センサ、圧力センサ及び赤外線センサの採用に限定されない。実際のニーズに応じて上記センサ又は他のセンサを採用することができる。
【００２７】
ユーザが片手で携帯端末を操作する場合、携帯端末の両側に取り付けられたセンサは手によるセンサに対するタッチ誘導情報を受信し、タッチ誘導情報を電気信号に変換する。電気信号は電圧信号又は電流信号等を含む。予め設定された閾値によって、該電気信号を２値化信号に変換し、０と１で示し、即ち、ユーザが端末装置に接触する領域に生じた信号を１で示し、接触しない領域を０で示す。センサにより受信されて変換された２値信号を画像の形態で展示し、２値画像即ち白黒画像として表し、黒色は１で示され、ユーザによる携帯端末に対する有効接触点である。白色を０で示し、ユーザによる携帯端末に対するタッチの有効領域を２値画像に変換する。２値画像は２次元配列からなる２値化信号であり、図３に示される。
【００２８】
ステップＳ１０２、前記把持情報に基づいてユーザによる前記携帯端末に対する把持の有効領域を決定する。把持情報が具体的に電気信号であり、電気信号を２値化信号に量子化し、２値化信号に基づいてユーザによる前記携帯端末に対する把持の有効領域を決定する。
【００２９】
具体的に、先ず２値化信号に対してフィルタリング処理を行う。２値化信号をフィルタリングする目的として、２値化信号に対してノイズ低減を行い、それにより、少数点でのセンサの検出エラーを防止し、即ち、２次元配列に０と１の倒置が発生する状況を防止し、携帯端末は先ず画像配列に対してノイズ低減処理を行い、画像の観点から、黒色領域における白色点を除去する。
【００３０】
ノイズの検出方式は、以下の２種の方式を採用することができる。
【００３１】
第１の方式について、垂直方向から見ると、連続的な数がＮである白色点は両端にそれぞれ連続的な数がＭＵ及びＭＤである黒色点がある場合、該点をノイズとして判定し、配列の観点から、配列には隣接した数値が０であるＮ個の元素があり、このＮ個の元素の両端には数値が１であるＭＵ及びＭＤ個の元素がある場合、該元素をノイズとして判定し、該元素の値を１に変更する。携帯端末左右両側の誘導有効領域内の配列ａｌ［Ｍ］［Ｎ］とａｒ［Ｍ］［Ｎ］を取得する。ここで、Ｎが所定の閾値より小さく、ＭＵとＭＤがいずれも所定の閾値より大きく、閾値の大きさの設定が実際のニーズに応じて具体的に決められる。
【００３２】
第２の方式について、２値画像における黒色領域の面積を検出し、且つ２値画像における黒色領域をマークする。１つの閾値Ｓｌを設定し、２値画像における黒色領域の面積を順にＳ１と比較し、面積がＳ１以下である黒色領域をノイズとしてマークし、それを白色領域に変換する。
【００３３】
本発明は他の方法で２値化信号に対してノイズ低減処理を行ってもよく、本発明はこれに限定されない。
【００３４】
次に、フィルタリングされた後の２値化信号を処理し、ユーザによる前記携帯端末のケースの２つの側面に対するタッチの有効領域を得る。
【００３５】
具体的に、ユーザによる携帯端末の２つの側面に対するタッチの有効領域を取得することも以下の２種の方式を採用することができる。
【００３６】
第１の方式について、２値化信号を２値画像に変換し、連続的な有効点からなる２値画像領域を識別待つ領域としてマークし、有効点は前記２値画像における黒画素点であり、識別待つ領域の垂直中間線を第１の基準線とし、第１の基準線の垂直方向における連続的な有効点の数が第１の所定閾値を超える場合、垂直方向における連続的な有効点の所在線分の水平中間線を第２の基準線とし、第２の基準線の水平方向における連続的な有効点の数が第２の所定閾値を超える場合、識別待つ領域をユーザによる携帯端末のケースの２つの側面に対するタッチの有効領域とする。
【００３７】
具体的に、連続的な１の判断を採用して、配列データに対して連続的な１の数の判断を行うことにより、ユーザの皮膚が携帯端末の両側に接触する有効領域の長さを検出し、画像から見ると、十字形の黒画素点の判断によって有効接触領域を決定し、即ち、画像の中線を縦線として、連続的な黒画素点を探し、連続的な黒画素点の個数がある閾値より大きい場合、更に該領域に対して横方向の黒色点判断を行い、該領域の連続的な黒色点の中間位置を取り、その左右の連続的な黒画素点の個数を判断し、該数がある閾値より大きい場合、即ち、該中心点を基準として１つの黒色十字が存在する場合、該領域を有効接触領域として判断し、且つ該有効接触領域の長さを記録し、このような方法によってそれぞれ携帯電話両側の有効接触領域を取得する。
【００３８】
さらに、２値化信号が２次元配列からなり、それぞれ配列におけるａｌ［Ｍ／２］［ｉ］及びａｒ［Ｍ／２］［ｉ］が１であるか否かを判断する。ｉが０から逓増し、ｉがＮより小さい。配列における１である連続的な黒画素点の個数を記録し、１を２値画像における黒画素点とし、０を２値画像における白色画素点とし、黒画素点を２値画像における有効点とする。１である連続的な黒画素点の個数がある閾値より大きい場合、該配列における黒画素点の中間元素に対して横方向の連続的な１の判断を行い、配列における１である連続的な黒画素点の中間元素がａｌ［Ｍ／２］［Ｒ］であると仮定すると、それぞれａｌ［ｊ］［Ｒ］を計算し、ここで、ｊが０から逓増し、ｊがＭより小さい。配列における１である連続的な黒画素点の数がある閾値より大きい場合、該領域をユーザによる携帯端末に対するタッチの有効領域と見なし、上記条件に合致する携帯端末の左側及び右側の有効領域の個数を記憶し、それぞれ配列ｔｌ［５］及びｔｒ［５］に記憶し、且つそれぞれ携帯端末両側の有効接触領域の個数を記録する。ここで、ａｌ［Ｍ］［Ｎ］及びａｒ［Ｍ］［Ｎ］はそれぞれ携帯端末左右両側の有効領域内の配列を示す。ｔｌ［５］とｔｒ［５］はそれぞれ携帯端末左側及び右側のユーザによる携帯端末に対するタッチの有効領域の数を示す。
【００３９】
第２の方式について、２値画像における黒色領域の面積を検出し、且つ２値画像における黒色領域をマークする。有効点である黒画素点からなる領域は黒色領域である。１つの閾値Ｓ２を設定し、２値画像における黒色領域の面積を順にＳ２と比較し、面積がＳ２より大きい黒色領域をユーザによる携帯端末に対するタッチの有効領域としてマークし、それぞれ携帯端末両側の有効領域の数及び各有効領域に対応する面積、長さ等の情報を記録する。
【００４０】
ステップＳ１０３、有効領域に基づいてユーザが左手又は右手で携帯端末を操作する結果情報を判断する。
【００４１】
具体的に、携帯端末両側の有効領域を取得した後、携帯端末両側の有効領域に基づいてユーザが左手で、それとも右手で携帯端末を操作するかを判断する。ユーザが片手で操作する場合、ユーザが左手で、それとも右手で携帯端末を操作するかを判断することは、複数の方法を採用することができ、以下では、それぞれユーザ指の位置の判断と有効領域長さの判断によって、ユーザが左手又は右手で携帯端末を操作する結果情報を得る。
【００４２】
親指と他の四指の位置の判断を行う時に、人々が携帯電話を使用する時の各種の特徴によって判断し、ここでそのうちの一種の方法を採用し、図２に示すように、ユーザは携帯電話を使用する時に、親指と他の四指がそれぞれ携帯電話の両側に位置し、親指側にとって、掌の接触のため、有効接触面は１本の長い領域であり、親指も側辺に置けば、有効接触領域は１本の長い接触領域及び１本の短い接触領域である。他の四指側にとって、有効接触領域はいくつかの離れる短い接触領域であり又は接触せず、有効接触領域の数が０〜４である。ある一側の有効接触領域が２より大きい場合、該側が四指方向で、他側が親指側であると判断する。携帯電話両側の有効接触領域の個数がいずれも２以下である場合、それぞれ両端の最も長い有効接触領域を取って比較し、有効接触領域が長いのは親指側である。具体的に携帯端末の寸法の大きさに基づいて判断し、現在の携帯端末製品、例えばスマートフォン等は寸法がますます大きくなり、携帯端末の寸法が大きければ、ユーザが片手で操作する時に親指以外の四指が携帯端末の他側に接触できない場合は多く、又はそのうちのいくつかの指が携帯端末の他側に接触する。携帯端末のユーザグループ、例えば女性又は男性等に基づいて判断してもよい。直接的にユーザによる携帯端末に対するタッチの有効長さに基づいて、ユーザが左手で、それとも右手で携帯電話を操作することを判断してもよい。本発明において有効領域に基づいてユーザが左手又は右手で携帯端末を操作することを判断する方法はこれに限定されない。
【００４３】
上記した２値化信号を処理して、ユーザが左手で、それとも右手で携帯端末を操作するかを得ることは図４に基づいて行うこともできる。
【００４４】
ステップＳ１０４、結果情報に基づいて携帯端末インターフェースを調整する。
【００４５】
具体的に、ユーザが左手又は右手で前記携帯端末を操作する結果情報を得た後、携帯端末のインターフェースを調整して、ユーザが左手又は右手で携帯電話を操作することに適応する。
【００４６】
上記ステップに基づいてユーザが左手で携帯端末を片手操作することを得た場合、携帯端末のインターフェースは左手操作に有利な位置に自動的に調整する。例えば、携帯端末の削除、選択等のタッチの操作キーを携帯端末の左側に調整して、ユーザが左手で携帯端末を操作するニーズを最大限に満たし、ユーザエクスペリエンスを向上させる。ユーザが右手で携帯端末を操作することに切り替えた場合、携帯端末はユーザのタッチ情報を動的に受信し、計算によってユーザが右手で携帯端末を操作する結果情報を得て、該結果情報に基づいて携帯端末のインターフェースを自動的に調整して、ユーザが右手で携帯端末を操作する利便性のニーズに適応し、ユーザエクスペリエンスを向上させる。
【００４７】
本発明の第２実施例において、携帯端末インターフェースの調整装置は、図５に示すように、検出モジュール１０、処理モジュール２０、判断モジュール３０、及びインターフェース調整モジュール４０を含む。
【００４８】
検出モジュール１０は、ユーザによる携帯端末に対する把持情報を検出するように設定される。
【００４９】
具体的に、検出モジュール１０はユーザによる携帯端末に対するタッチ誘導情報を検出し、タッチ誘導情報を把持情報に変換する。把持情報は具体的に電気信号である。
【００５０】
ユーザが片手で携帯端末を操作する場合、検出モジュール１０はタッチ誘導情報を電気信号に変換する。電気信号は電圧信号又は電流信号等を含む。
【００５１】
処理モジュール２０は、前記把持情報に基づいてユーザによる前記携帯端末に対する把持の有効領域を決定するように設定される。
【００５２】
具体的に、処理モジュール２０は、図６に示すように、信号量子化ユニット２１、フィルタリングユニット２２、及び信号処理ユニット２３を含む。
【００５３】
信号量子化ユニット２１は、把持情報を２値化信号に量子化するように設定される。把持情報は具体的に電気信号であり、信号量子化ユニット２１は電気信号を２値化信号に量子化する。
【００５４】
フィルタリングユニット２２は、前記２値化信号をフィルタリングするように設定され、その目的は２値化信号に対してノイズ低減を行うことである。
【００５５】
信号処理ユニット２３は、フィルタリングされた後の２値化信号を処理し、ユーザによる前記携帯端末のケースの２つの側面に対するタッチの有効領域を得るように設定される。
【００５６】
予め設定された閾値によって、信号量子化ユニット２１は電気信号を２値化信号に変換し、２値化信号を０と１で示し、即ち、ユーザが端末装置に接触する領域に生じた信号を１で示し、接触しない領域を０で示す。センサにより受信されて変換された２値信号を画像の形態で展示し、２値画像即ち白黒画像として表し、黒色は１で示され、ユーザによる携帯端末に対する有効接触点である。白色は０で示され、ユーザによる携帯端末に対するタッチの有効領域を２値画像に変換する。２値画像は２次元配列からなる２値化信号であり、図３に示される。
【００５７】
さらに、処理モジュール２０は、先ず２値化信号に対してフィルタリング処理を行う。処理モジュール２０が２値化信号をフィルタリングする目的として、２値化信号に対してノイズ低減を行い、それにより、少数点でのセンサの検出エラーを防止し、即ち、２次元配列に０と１の倒置が発生する状況を防止し、携帯端末は先ず画像配列に対してノイズ低減処理を行い、画像の観点から、黒色領域における白色点を除去する。
【００５８】
ノイズの検出方式は、以下の２種の方式を採用することができる。
【００５９】
第１の方式について、垂直方向から見ると、連続的な数がＮである白色点は両端にそれぞれ連続的な数がＭＵ及びＭＤである黒色点がある場合、該点をノイズとして判定し、配列の観点から、配列には隣接した数値が０であるＮ個の元素があり、このＮ個の元素の両端には数値が１であるＭＵ及びＭＤ個の元素がある場合、該元素をノイズとして判定し、該元素の値を１に変更する。携帯端末左右両側の誘導有効領域内の配列ａｌ［Ｍ］［Ｎ］とａｒ［Ｍ］［Ｎ］を取得する。ここで、Ｎが所定の閾値より小さく、ＭＵとＭＤがいずれも所定の閾値より大きく、閾値の大きさの設定が実際のニーズに応じて具体的に決められる。
【００６０】
第２の方式について、２値画像における黒色領域の面積を検出し、且つ２値画像における黒色領域をマークする。１つの閾値Ｓｌを設定し、２値画像における黒色領域の面積を順にＳ１と比較し、面積がＳ１以下である黒色領域をノイズとしてマークし、それを白色領域に変換する。
【００６１】
本発明のフィルタリングユニット２２は、他の方法で２値化信号に対してノイズ低減処理を行ってもよく、本発明はこれに限定されない。
【００６２】
次に、フィルタリングされた後の２値化信号を処理し、ユーザによる前記携帯端末のケースの２つの側面に対するタッチの有効領域を得る。
【００６３】
具体的に、ユーザによる携帯端末の２つの側面に対するタッチの有効領域を取得することも以下の２種の方式を採用することができる。
【００６４】
第１の方式について、２値化信号を２値画像に変換し、連続的な有効点からなる２値画像領域を識別待つ領域としてマークし、有効点は前記２値画像における黒画素点であり、識別待つ領域の垂直中間線を第１の基準線とし、第１の基準線の垂直方向における連続的な有効点の数が第１の所定閾値を超える場合、垂直方向における連続的な有効点の所在線分の水平中間線を第２の基準線とし、第２の基準線の水平方向における連続的な有効点の数が第２の所定閾値を超える場合、識別待つ領域をユーザによる携帯端末のケースの２つの側面に対するタッチの有効領域とする。
【００６５】
具体的に、連続的な１の判断を採用して、配列データに対して連続的な１の数の判断を行うことにより、ユーザの皮膚が携帯端末の両側に接触する有効領域の長さを検出し、画像から見ると、十字形の黒画素点の判断によって有効接触領域を決定し、即ち、画像の中線を縦線として、連続的な黒画素点を探し、連続的な黒画素点の個数がある閾値より大きい場合、更に該領域に対して横方向の黒色点判断を行い、該領域の連続的な黒色点の中間位置を取り、その左右の連続的な黒画素点の個数を判断し、該数がある閾値より大きい場合、即ち、該中心点を基準として１つの黒色十字が存在する場合、該領域を有効接触領域として判断し、且つ該有効接触領域の長さを記録し、このような方法によってそれぞれ携帯電話両側の有効接触領域を取得する。
【００６６】
さらに、２値化信号が２次元配列からなり、それぞれ配列におけるａｌ［Ｍ／２］［ｉ］及びａｒ［Ｍ／２］［ｉ］が１であるか否かを判断する。ｉが０から逓増し、ｉがＮより小さい。配列における１である連続的な黒画素点の個数を記録し、１を２値画像における黒画素点とし、０を２値画像における白色画素点とし、黒画素点を２値画像における有効点とする。１である連続的な黒画素点の個数がある閾値より大きい場合、該配列における黒画素点の中間元素に対して横方向の連続的な１の判断を行い、配列における１である連続的な黒画素点の中間元素がａｌ［Ｍ／２］［Ｒ］であると仮定すると、それぞれａｌ［ｊ］［Ｒ］を計算し、ここで、ｊが０から逓増し、ｊがＭより小さい。配列における１である連続的な黒画素点の数がある閾値より大きい場合、該領域をユーザによる携帯端末に対するタッチの有効領域と見なし、上記条件に合致する携帯端末の左側及び右側の有効領域の個数を記憶し、それぞれ配列ｔｌ［５］及びｔｒ［５］に記憶し、且つそれぞれ携帯端末両側の有効接触領域の個数を記録する。ここで、ａｌ［Ｍ］［Ｎ］及びａｒ［Ｍ］［Ｎ］はそれぞれ携帯端末左右両側の有効領域内の配列を示す。ｔｌ［５］とｔｒ［５］はそれぞれ携帯端末左側及び右側のユーザによる携帯端末に対するタッチの有効領域の数を示す。
【００６７】
第２の方式について、２値画像における黒色領域の面積を検出し、且つ２値画像における黒色領域をマークする。有効点である黒画素点からなる領域は黒色領域である。１つの閾値Ｓ２を設定し、２値画像における黒色領域の面積を順にＳ２と比較し、面積がＳ２より大きい黒色領域をユーザによる携帯端末に対するタッチの有効領域としてマークし、それぞれ携帯端末両側の有効領域の数及び各有効領域に対応する面積、長さ等の情報を記録する。
【００６８】
判断モジュール３０は、前記有効領域に基づいてユーザが左手又は右手で前記携帯端末を操作する結果情報を判断するように設定される。
【００６９】
具体的に、携帯端末両側の有効領域を取得した後、判断モジュール３０は、携帯端末両側の有効領域に基づいてユーザが左手で、それとも右手で携帯端末を操作するかを判断する。ユーザが片手で操作する場合、ユーザが左手で、それとも右手で携帯端末を操作するかを判断することは、複数の方法を採用することができ、以下では、それぞれユーザ指の位置の判断と有効領域長さの判断によって、ユーザが左手又は右手で携帯端末を操作する結果情報を得る。
【００７０】
親指と他の四指の位置の判断を行う時に、人々が携帯電話を使用する時の各種の特徴によって判断し、ここでそのうちの一種の方法を採用し、図２に示すように、ユーザは携帯電話を使用する時に、親指と他の四指がそれぞれ携帯電話の両側に位置し、親指側にとって、掌の接触のため、有効接触面は１本の長い領域であり、親指も側辺に置けば、有効接触領域は１本の長い接触領域及び１本の短い接触領域である。他の四指側にとって、有効接触領域はいくつかの離れる短い接触領域であり又は接触せず、有効接触領域の数が０〜４である。ある一側の有効接触領域が２より大きい場合、該側が四指方向で、他側が親指側であると判断する。携帯電話両側の有効接触領域の個数がいずれも２以下である場合、それぞれ両端の最も長い有効接触領域を取って比較し、有効接触領域が長いのは親指側である。具体的に携帯端末の寸法の大きさに基づいて判断し、現在の携帯端末製品、例えばスマートフォン等は寸法がますます大きくなり、携帯端末の寸法が大きければ、ユーザが片手で操作する時に親指以外の四指が携帯端末の他側に接触できない場合は多く、又はそのうちのいくつかの指が携帯端末の他側に接触する。携帯端末のユーザグループ、例えば女性又は男性等に基づいて判断してもよい。直接的にユーザによる携帯端末に対するタッチの有効長さに基づいて、ユーザが左手で、それとも右手で携帯電話を操作することを判断してもよい。本発明において有効領域に基づいてユーザが左手又は右手で携帯端末を操作することを判断する方法はこれに限定されない。
【００７１】
インターフェース調整モジュール４０は、前記結果情報に基づいて前記携帯端末インターフェースを調整する。
【００７２】
具体的に、ユーザが左手又は右手で前記携帯端末を操作する結果情報を得た後、インターフェース調整モジュール４０は携帯端末のインターフェースを調整して、ユーザが左手又は右手で携帯電話を操作することに適応する。
【００７３】
本発明の第３実施例において、携帯端末は、図７に示すように、センサ５０とプロセッサ６０を含む。
【００７４】
センサ５０は、ユーザによる携帯端末に対する把持情報を検出するように設定される。
【００７５】
具体的に、センサ５０は、ユーザによる携帯端末に対するタッチ誘導情報を検出し、タッチ誘導情報を把持情報に変換する。把持情報が具体的に電気信号であり、電気信号を２値化信号に量子化する。
【００７６】
さらに、センサ５０は携帯端末の２つの側面に取り付けられる。センサの種類は、静電容量センサ、圧力センサ及び赤外線センサの採用に限定されない。実際のニーズに応じて上記センサ又は他のセンサを採用することができる。
【００７７】
プロセッサ６０は、把持情報に基づいてユーザによる携帯端末に対する把持の有効領域を決定し、有効領域に基づいてユーザが左手又は右手で前記携帯端末を操作する結果情報を判断し、結果情報に基づいて前記携帯端末インターフェースを調整するように設定される。
【００７８】
具体的に、プロセッサ６０は、センサ５０によってユーザによる携帯端末に対するタッチ誘導情報を受信し、タッチ誘導情報を把持情報に変換する。把持情報が具体的に電気信号であり、電気信号を２値化信号に量子化し、２値化信号に基づいてユーザによる携帯端末に対する把持の有効領域を決定する。それぞれ携帯端末のケースの２つの側面の有効領域の長さ値を計算し、長さ値が最大である有効領域を得て、長さ値が最大である有効領域の携帯端末のケースでの位置に基づいて、ユーザが左手又は右手で携帯端末を操作する結果情報を得る。結果情報はユーザが左手で携帯端末を操作することを示す場合、携帯端末のインターフェースを左手操作に適応するレイアウトに調整し、結果情報はユーザが右手で携帯端末を操作することを示す場合、携帯端末のインターフェースを右手操作に適応するレイアウトに調整する。
【００７９】
本発明の実施例に係る携帯端末インターフェースの調整方法、装置及び端末は、ユーザが左手で、それとも右手で携帯端末を操作するかの情報を動的に取得することによって、ユーザが左手又は右手で操作することに基づいて携帯端末のインターフェースを動的に調整して、ユーザの操作ニーズに適応し、ユーザエクスペリエンスを向上させる。
【００８０】
具体的な実施形態の説明によって、本発明が所定の目的を達成するために用いる技術的手段及び効果をより深く且つ詳細的に了解することができるが、図面は参照して説明するためのものに過ぎず、本発明を制限するものではない。
【産業上の利用可能性】
【００８１】
上記のように、本発明の実施例に係る携帯端末インターフェースの調整方法、装置及び端末は、ユーザが左手で、それとも右手で携帯端末を操作するかの情報を動的に取得することによって、対応的に携帯端末のインターフェースを動的に調整して、ユーザの操作ニーズに適応し、ユーザエクスペリエンスを向上させるという有益な効果を有する。
【図１】
0006349419.tif 000002
【図２】
0006349419.tif 000003
【図３】
0006349419.tif 000004
【図４】
0006349419.tif 000005
【図５】
0006349419.tif 000006
【図６】
0006349419.tif 000007
【図７】
0006349419.tif 000008